(57)【特許請求の範囲】
【請求項１】
第１の記録媒体と第２の記録媒体に信号を記録する信号記録装置において、
上記第１の記録媒体に静止画を記録するときのトリガ音と、上記第２の記録媒体に静止画を記録するときのトリガ音とを異ならせる制御手段を備えることを特徴とする信号記録装置。
【請求項２】
少なくとも上記第１の記録媒体には静止画の他に動画の記録も可能であることを特徴とする請求項１記載の信号記録装置。
【請求項３】
上記制御手段は、異なる音源から異なるトリガ音を発生することを特徴とする請求項１記載の信号記録装置。
【請求項４】
上記第２の記録媒体に静止画を記録するときのトリガ音の音源は、未使用のときにはスリープ状態とすることを特徴とする請求項３記載の信号記録装置。
【発明の詳細な説明】
【０００１】
【発明の属する技術分野】
本発明は、例えばビデオテープのような第１の記録媒体と、例えば半導体メモリのような第２の記録媒体に静止画を記録する信号記録装置に関する。
【０００２】
【従来の技術】
機器の動作や状態を使用者に伝えるための報知音や警告音などを発生するための音源は、従来の場合一つだけであることが多く、そこで発生される音も単一音階しか持たない場合が多い。
【０００３】
【発明が解決しようとする課題】
ところで、使用者の動作が同一でも結果が異なる場合にはそれを使用者に伝える手段として、音声による報知があるが、単一の音しかない場合には、使用者が聞き間違える場合が多く、その差別化が困難である。
【０００４】
本発明は、上記実情に鑑みてなされたものであり、一つの機器のなかで類似した機能がある場合に、使用者に機能の差別を音で報知することのできる信号記録装置の提供を目的とする。
【０００５】
【課題を解決するための手段】
本発明は、上記課題を解決するために、第１の記録媒体と第２の記録媒体に信号を記録する信号記録装置であって、上記第１の記録媒体に静止画を記録するときのトリガ音と、上記第２の記録媒体に静止画を記録するときのトリガ音とを異ならせる制御手段を備える。
【０００６】
この信号記録装置は、少なくとも上記第１の記録媒体には静止画の他に動画の記録も可能である。
【０００７】
また、上記制御手段は、異なる音源から異なるトリガ音を発生する。さらに、上記第２の記録媒体に静止画を記録するときのトリガ音の音源は、未使用のときにはスリープ状態とする。
【０００８】
【発明の実施の形態】
以下、本発明に係る信号記録装置の実施の形態について図面を参照しながら説明する。
【０００９】
図１には上記信号記録装置の具体例の構成を示す。この具体例は、携帯用メモリカード付きビデオカメラレコーダ１であり、記録メディアとしてビデオテープ１０と不揮発性メモリ１３とを選択可能に用いる。そして、このビデオカメラレコーダ１は、ビデオテープ１０には動画と静止画を、不揮発性メモリ１３には静止画を記録する。
【００１０】
ここで、ユーザが静止画の記録モードを選択したとき、このビデオカメラレコーダ１は、ビデオテープ１０に静止画を記録するときのトリガ音と、不揮発性メモリ１３に静止画を記録するときのトリガ音とを異ならせて発生する。
【００１１】
このビデオカメラレコーダ１は、図１に示すように、撮像装置としてのカメラ２と、キー操作部４と、このキー操作部４を使ってのユーザの選択によってビデオテープ１０への記録か、或いは不揮発性メモリ１３への記録かを選択的にスイッチ３を用いて切り換えるマイクロコンピュータ５を備える。
【００１２】
また、このビデオカメラレコーダ１は、マイクロコンピュータ５がビデオテープ１０へ静止画を記録するためにスイッチ３を切り換えたときに、ビデオテープ１０への記録に適した画像処理を行う画像制御回路８と、この画像制御回路８からの画像信号をビデオテープ１０に記録する磁気ヘッド９を備えている。
【００１３】
また、このビデオカメラレコーダ１は、マイクロコンピュータ５が不揮発性メモリ１３への静止画を記録するためにスイッチ３を切り換えたときに、不揮発性メモリ１３への記録に適した画像処理を行う画像制御マイクロコンピュータ１１を備えている。
【００１４】
また、マイクロコンピュータ５には、ビデオテープ１０に静止画を記録するときのトリガ音として例えば「ピンポーン」というパルス音を発生する音声発生装置７がスイッチ６を介して接続されている。この音声発生装置７は、ＰＷＭによるパルス音を発生する。
【００１５】
また、画像制御マイクロコンピュータ１１には、不揮発性メモリ１３に静止画を記録するときのトリガ音として例えば「カシャ」というシャッター音を発声する音声発生装置１２が接続されている。
【００１６】
この音声発生装置１２は、マイクロコンピュータ５がビデオテープ１０への記録を検出しているとき、すなわち未使用のときにはスリープ状態となっている。このため、音声発生装置１２は余分な電力を消費することがない。
【００１７】
以下、このビデオカメラレコーダ１の詳細な動作について説明する。このビデオカメラレコーダ１では、キー操作部４を用いたユーザの選択を、マイクロコンピュータ５で検出し、入力画像をどちらのメディアに記録するかの切り換えを行う。記録メディアとしてビデオテープ１０に記録されるように選択されたとき、カメラ２によって撮像された画像は、スイッチ３のスイッチ片ｃが被選択端子ａに接続されることによって、画像制御回路８を通り、磁気ヘッド９を介してビデオテープ１０に記録される。そのとき、マイクロコンピュータ５はスイッチ６をオンにして、音声発生装置７から、上記ユーザによるキー操作部４での撮像スイッチの押圧と同時に「ピンポーン」という報知音を発生させる。
【００１８】
キー操作部４を用いたユーザの選択が、記録メディアとして不揮発性メモリ１３に記録されるものであったとき、カメラ２によって撮像された画像は、スイッチ３のスイッチ片ｃが被選択端子ｂに接続されることによって、画像制御マイクロコンピュータ１１を通り、不揮発性メモリ１３に記録される。そのとき、マイクロコンピュータ５は、スイッチ６をオフにし、画像制御マイクロコンピュータ１１に接続した音声発生装置１２から、上記ユーザによるキー操作部４での撮像スイッチの押圧と同時に「カシャ」という報知音を発生させる。
【００１９】
ビデオテープ１０には、静止画の他に動画も記録できるが、不揮発性メモリ１３には静止画のみである。その動作は従来からあるスチルカメラと類似しているため、動作の報知音もスチルカメラと類似した音を発生するのが望ましい。
【００２０】
このように、一つのビデオカメラレコーダ１の中で類似した機能があるときには、二つの音声発生装置７及び１２を持たせ、それぞれの状態をマイクロコンピュータ５で検出し、音源を分けて使用することで使用者に機能の差別を報知することができる。
【００２１】
また、マイクロコンピュータ５として処理能力の比較的高いものを用いることがコスト面から許されるのであれば、音声発生装置１２をマイクロコンピュータ１２に接続するようにしてもよい。さらには、音声発生装置１２を用いずに音声発生装置７一つだけで、二つの上記報知音を発生するようにしてもよい。
【００２２】
また、単一の機能を持つ機器が既に存在し、新しくそれを組み合わせた機器を設計するとき、単一機能のみのときの報知音に類似した音源を持たせることで機能を使用者に明確に理解させることもできる。
【００２３】
図２には不揮発性メモリ１３の代わりにＰＣカードを第２の記録媒体として用いるビデオカメラレコーダ１を示す。
【００２４】
ビデオカメラレコーダ１は、バッテリー２１によって駆動し、カードスロット部２２を介してＰＣカード２３が図３に示すように挿入される。カードスロット部２２に挿入されたＰＣカード２３には、ビデオカメラレコーダ１で撮像した上記静止画や、装着されているビデオテープ１０に既に記録された画像を記録することができる。また、ビデオテープ１０にも静止画を記録することができるし、動画も記録することができる。
【００２５】
そして、ユーザがＰＣカード２３への静止画の記録を選択して、フォトボタン２４を押圧すると同時に、「カシャ」という音声が、上記音声発生装置１２から発生される。また、ユーザがビデオテープ１０への静止画の記録を選択して、フォトボタン２４を押圧すると同時に、「ピンポーン」という音声が、上記音声発生装置７から発生される。
【００２６】
これにより、ユーザには音声によって機能の差別を報知することができる。
【００２７】
【発明の効果】
本発明によれば、一つの機器のなかで類似した機能がある場合に、使用者に機能の差別を報知することができる。
【図面の簡単な説明】
【図１】本発明の具体例となるビデオカメラレコーダの構成を示すブロック図である。
【図２】第２の記録媒体としてＰＣカードを用いたビデオカメラレコーダの外観斜視図である。
【図３】図２に示したビデオカメラレコーダにＰＣカードを装着する状態を示す外観斜視図である。
【符号の説明】
１  ビデオカメラレコーダ、２  カメラ、５  マイクロコンピュータ、７  音声発生装置、８  画像制御回路、１０  ビデオテープ、１１  画像制御マイクロコンピュータ、１２  音声発生装置、１３  不揮発性メモリ、２２  カードスロット、２３  ＰＣカード、２４  フォトボタン
【図１】
0004003303.tif 000002
【図２】
0004003303.tif 000003
【図３】
0004003303.tif 000004